(57)【要約】【課題】光ディスクをターンテーブルにロックするのに電磁石のみで行い、また、回転数センサを設ける必要のない光ディスクドライブ装置を提供する。【解決手段】光ディスクがターンテーブル２にチャッキングされると、電磁石５が励磁されることによってストッパ４の可動片４１が吸引され、光ディスクがターンテーブル２にロックされる。そして、ターンテーブル２が回転し、この回転に伴って電磁石５も回転し、これにより、コイル６には電磁石５からの電磁誘導により起電力が発生し、この起電力の電圧を検出することによりターンテーブル２の回転数を検出することが可能になる。光ディスクをターンテーブル２にロックするのに電磁石５のみで行っているので、チャッキング動作後のロック時の音を抑えることができ、また、回転数センサを設ける必要がないので、その分、コストダウンを図ることができる。【選択図】      図４
2005050389.tif 000002
【特許請求の範囲】
【請求項１】
光ディスクに対して情報の記録または／および再生するために光ディスクを回転駆動する光ディスクドライブ装置であって、光ディスクが載置されるターンテーブルと、このターンテーブルを回転駆動するスピンドルモータと、光ディスクを前記ターンテーブルにチャッキングしたときに光ディスクを前記ターンテーブルに対してロックする方向に可動する可動片を有する複数のストッパと、光ディスクを前記ターンテーブルにチャッキングしたときに前記複数のストッパの可動片を光ディスクが前記ターンテーブルに対してロックされる方向に吸引するように配置された複数の電磁石と、前記ターンテーブルの回転に伴って回転する前記複数の電磁石からの電磁誘導により前記ターンテーブルの回転数を検出するためのコイルとを備えたことを特徴とする光ディスクドライブ装置。
【請求項２】
光ディスクに対して情報の記録または／および再生するために光ディスクを回転駆動する光ディスクドライブ装置であって、光ディスクが載置されるターンテーブルと、このターンテーブルを回転駆動するスピンドルモータと、光ディスクを前記ターンテーブルに対してチャッキングさせる方向に前記ターンテーブルを吸引すると共に光ディスクを前記ターンテーブルに対してロックする方向に前記ターンテーブルを吸引するように配置された複数の電磁石と、前記ターンテーブルの回転に伴って回転する前記複数の電磁石からの電磁誘導により前記ターンテーブルの回転数を検出するためのコイルとを備えたことを特徴とする光ディスクドライブ装置。
【請求項３】
光ディスクに対して情報の記録または／および再生するために光ディスクを回転駆動する光ディスクドライブ装置であって、光ディスクが載置されるターンテーブルと、このターンテーブルを回転駆動するスピンドルモータと、光ディスクを前記ターンテーブルに対してロックするように作用する複数の電磁石と、前記ターンテーブルの回転に伴って回転する前記複数の電磁石からの電磁誘導により前記ターンテーブルの回転数を検出するためのコイルとを備えたことを特徴とする光ディスクドライブ装置。
【請求項４】
光ディスクを前記ターンテーブルにチャッキングしたときに光ディスクを前記ターンテーブルに対してロックする方向に可動する可動片を有する複数のストッパを備え、前記複数の電磁石は、光ディスクを前記ターンテーブルにチャッキングしたときに前記複数のストッパの可動片を光ディスクが前記ターンテーブルに対してロックされる方向に吸引するように配置されたことを特徴とする請求項３に記載の光ディスクドライブ装置。
【請求項５】
前記複数の電磁石は、光ディスクを前記ターンテーブルに対してチャッキングを行う方向に前記ターンテーブルを吸引すると共に、光ディスクを前記ターンテーブルに対してロックする方向に前記ターンテーブルを吸引するように配置されたことを特徴とする請求項３に記載の光ディスクドライブ装置。
【発明の詳細な説明】
【０００１】
【発明の属する技術分野】
本発明は、光ディスク記録再生装置や光ディスク再生装置に備えられ、光ディスクに情報を記録したり、光ディスクから情報を再生したりするために、光ディスクを回転駆動する光ディスクドライブ装置に関する。
【０００２】
【従来の技術】
従来から光ディスク再生装置や光ディスク記録再生装置では、光ディスクが光ディスクドライブ装置に対して着脱可能になっており、光ディスクドライブ装置では、ターンテーブルに対して光ディスクをチャッキングしてロックする動作が必要となる。
【０００３】
例えば、特許文献１に記載の光ディスクドライブ装置においては、チャッキング動作を行うチャッキング装置を備え、このチャッキング装置は、ローディングされたトレイが載置され、上下方向に移動可能なチャッキングテーブルを備えている。チャッキングテーブルの中央部の上方には、板ばねを介してチャッキングテーブルの一側部に連結された押さえ板が配設されている。この押さえ板には、光ディスクのセンタ孔部の周囲に対応する位置に複数の電磁石が取り付けられている。また、ターンテーブルには、電磁石に対応する位置に永久磁石が埋め込まれている。
【０００４】
このチャッキング装置では、光ディスクが載置されたトレイがチャッキングテーブル上に載置されると、駆動装置によってチャッキングテーブルが下方に移動され、光ディスクの下面がターンテーブルの上面に当接し、光ディスクは板ばねによってターンテーブルに対して押さえつけられた状態となる。この状態は、光ディスクに対して仮止めされている状態であり、更に、電磁石と永久磁石との間の吸引力によってターンテーブルに対する光ディスクの固定力が強化される。
【０００５】
【特許文献１】
特開平１０−１７２２２８号公報
【０００６】
【発明が解決しようとする課題】
しかしながら、上記のような従来の光ディスクドライブ装置では、光ディスクをターンテーブルにロックするのに、電磁石以外に永久磁石も利用しているので、チャッキング動作後のロック動作時の音が大きくなる傾向があり、また、ターンテーブルの回転数を検出する発光素子と受光素子を使用したＦＧセンサなどの回転数センサを別に設けなければならないので、コストアップに繋がることにもなる。
【０００７】
本発明は、上記のような課題を解決するためになされたもので、光ディスクをターンテーブルに対してロックするのに永久磁石を用いずに電磁石のみで行い、また、ターンテーブルの回転数を検出する回転数センサを設ける必要のない光ディスクドライブ装置を提供することを目的とする。
【０００８】
【課題を解決するための手段】
上記目的を達成するために、請求項１の発明は、光ディスクに対して情報の記録または／および再生するために光ディスクを回転駆動する光ディスクドライブ装置であって、光ディスクが載置されるターンテーブルと、このターンテーブルを回転駆動するスピンドルモータと、光ディスクを前記ターンテーブルにチャッキングしたときに光ディスクを前記ターンテーブルに対してロックする方向に可動する可動片を有する複数のストッパと、光ディスクを前記ターンテーブルにチャッキングしたときに前記複数のストッパの可動片を光ディスクが前記ターンテーブルに対してロックされる方向に吸引するように配置された複数の電磁石と、前記ターンテーブルの回転に伴って回転する前記複数の電磁石からの電磁誘導により前記ターンテーブルの回転数を検出するためのコイルとを備えたことを特徴とする光ディスクドライブ装置を提供する。
【０００９】
この構成において、光ディスクがターンテーブルにチャッキングされると、複数の電磁石が励磁されることによって複数のストッパの可動片が吸引され、この結果、光ディスクがターンテーブルにロックされる。そして、スピンドルモータが回転駆動されることによって、ターンテーブルが回転し、この回転に伴って複数の電磁石も回転し、これにより、コイルには複数の電磁石からの電磁誘導により起電力が発生し、この起電力の電圧を検出することによってターンテーブルの回転数（光ディスクの回転数）を検出することが可能になる。
【００１０】
この構成によれば、光ディスクをターンテーブルに対してロックするのに永久磁石を用いずに電磁石のみで行っているので、チャッキング動作後のロック時の音を抑えることができ、また、ターンテーブルの回転数を検出する回転数センサを設ける必要がないので、その分、コストダウンを図ることができる。
【００１１】
請求項２の発明は、光ディスクに対して情報の記録または／および再生するために光ディスクを回転駆動する光ディスクドライブ装置であって、光ディスクが載置されるターンテーブルと、このターンテーブルを回転駆動するスピンドルモータと、光ディスクを前記ターンテーブルに対してチャッキングさせる方向に前記ターンテーブルを吸引すると共に光ディスクを前記ターンテーブルに対してロックする方向に前記ターンテーブルを吸引するように配置された複数の電磁石と、前記ターンテーブルの回転に伴って回転する前記複数の電磁石からの電磁誘導により前記ターンテーブルの回転数を検出するためのコイルとを備えたことを特徴とする光ディスクドライブ装置を提供する。
【００１２】
この構成において、複数の電磁石が励磁されると、電磁石の吸引力により、光ディスクがターンテーブルにチャッキングされ、更に、同じく電磁石の吸引力により、光ディスクがターンテーブルにロックされる。そして、スピンドルモータが回転駆動されることによって、ターンテーブルが回転し、この回転に伴って複数の電磁石も回転し、これにより、コイルには複数の電磁石からの電磁誘導により起電力が発生し、この起電力の電圧を検出することによってターンテーブルの回転数（光ディスクの回転数）を検出することが可能になる。
【００１３】
この構成によれば、光ディスクをターンテーブルに対してロックするのに永久磁石を用いずに電磁石のみで行っているので、チャッキング動作後のロック時の音を抑えることができ、また、ターンテーブルの回転数を検出する回転数センサを設ける必要がないので、その分、コストダウンを図ることができる。また、光ディスクのターンテーブルへのチャッキングも電磁石で行っているので、ターンテーブルを光ディスクのある方向へ持ち上げる機構が不要になり、その分、更にコストダウンを図れる。
【００１４】
請求項３の発明は、光ディスクに対して情報の記録または／および再生するために光ディスクを回転駆動する光ディスクドライブ装置であって、光ディスクが載置されるターンテーブルと、このターンテーブルを回転駆動するスピンドルモータと、光ディスクを前記ターンテーブルに対してロックするように作用する複数の電磁石と、前記ターンテーブルの回転に伴って回転する前記複数の電磁石からの電磁誘導により前記ターンテーブルの回転数を検出するためのコイルとを備えたことを特徴とする光ディスクドライブ装置を提供する。
【００１５】
この構成において、複数の電磁石が励磁されると、光ディスクがターンテーブルにロックされる。そして、スピンドルモータが回転駆動されることによって、ターンテーブルが回転し、この回転に伴って複数の電磁石も回転し、これにより、コイルには複数の電磁石からの電磁誘導により起電力が発生し、この起電力の電圧を検出することによってターンテーブルの回転数（光ディスクの回転数）を検出することが可能になる。
【００１６】
この構成によれば、光ディスクをターンテーブルに対してロックするのに永久磁石を用いずに電磁石のみで行っているので、チャッキング動作後のロック時の音を抑えることができ、また、ターンテーブルの回転数を検出する回転数センサを設ける必要がないので、その分、コストダウンを図ることができる。
【００１７】
請求項４の発明では、光ディスクをターンテーブルにチャッキングしたときに光ディスクをターンテーブルに対してロックする方向に可動する可動片を有する複数のストッパを備え、複数の電磁石は、光ディスクをターンテーブルにチャッキングしたときに複数のストッパの可動片を光ディスクがターンテーブルに対してロックされる方向に吸引するように配置されたので、複数の電磁石が励磁されると、複数のストッパの可動片が吸引され、光ディスクをターンテーブルに対してロックすることが可能になる。
【００１８】
請求項５の発明では、複数の電磁石は、光ディスクをターンテーブルに対してチャッキングを行う方向にターンテーブルを吸引すると共に、光ディスクをターンテーブルに対してロックする方向にターンテーブルを吸引するように配置されたので、複数の電磁石が励磁されると、電磁石の吸引力により、光ディスクがターンテーブルにチャッキングされ、更に、同じく電磁石の吸引力により、光ディスクをターンテーブルに対してロックすることが可能になる。
【００１９】
【発明の実施の形態】
以下、添付図面を参照しつつ、本発明の実施の形態について説明する。図１は本発明の一実施形態に係る光ディスクドライブ装置において光ディスクがターンテーブルにチャッキングされる前の状態を示すクランパ部の構成を示す側面図である。図２は光ディスクがターンテーブルにチャッキングされた状態を示すクランパ部の構成を示す側面図である。図３は図１または図２中のストッパの部分を拡大した図である。
【００２０】
図１〜図３において、１は光ディスク、２は光ディスク１が載置されるターンテーブル、３はターンテーブル２を回転駆動するスピンドルモータ、４は光ディスク１をターンテーブル２にチャッキングしたときに光ディスク１をターンテーブル２に対してロックする方向に可動する可動片４１を有するストッパ、５は光ディスク１をターンテーブル２にチャッキングしたときにストッパ４の可動片４１を光ディスク１がターンテーブル２に対してロックされる方向に吸引する電磁石である。なお、可動片４１は、Ｆｅ（鉄）などのように磁石に引き付けられる材質から成る。光ディスク１は、ＣＤ、ＤＶＤ、ＭＯ、ＭＤ、ＢｌｕｅＲａｙなどのようなディスクである。
【００２１】
ストッパ４は、図３に示すように、可動片４１の一端が収容されるシリンダー部４２を備え、可動片４１の他端はシリンダー部４２より外部に突出している。また、可動片４１の他端の下部には、光ディスク１をターンテーブル２の方向に弾性力を与える弾性部材４３が設けられている。
【００２２】
光ディスク１がターンテーブル２にチャッキングされた後、電磁石５が励磁されると、電磁石５の吸引力により、ストッパ４の可動片４１が電磁石５の方向に引っ張られ、可動片４１の他端の下部に設けられている弾性部材４３が光ディスク１をターンテーブル２の方向に押し付け、光ディスク１をターンテーブル２に対してロックする。
【００２３】
図４は、本実施形態のクランパ部における電磁石とストッパとコイルの配置を説明するための図である。図４に示すように、８個のストッパ４がターンテーブル２を中心に放射状に配列されている。そして、放射状に配置された８個のストッパ４の可動片４１に対応して８個の電磁石５が配置されている。各電磁石５はＮ極とＳ極が交互になるように電流が供給される。各電磁石５の一方面は各ストッパ４の可動片４１の面と所定間隔をおいて配置されており、各電磁石５の他方面は回転したときに電磁誘導される１個のコイル６の面と僅かな隙間を設けて配置されている。なお、電磁石は８個に限らず、２個以上あればよいが、個数が増えるほど吸引力が増加すると共にターンテーブルの回転数検出精度が向上する。
【００２４】
したがって、ターンテーブル２が回転することにより、励磁された８個の電磁石５も回転し、これらの電磁石５の磁力線がコイル６を横切り、これにより、コイル６に誘導起電力が発生し、この誘導起電力の電圧を検出することにより、ターンテーブル２の回転数（光ディスク１の回転数）を検出することができる。
【００２５】
図５は本実施形態において電磁石５に励磁電流を供給するための構成を説明するための図である。図６は電磁石５に設けられたブラシを説明するための図である。図７は電磁石５の正極側ブラシに図示しない直流電源部からの正極側を接続するための正極側ブラシ接触板を示す図である。図８は電磁石５の負極側ブラシに図示しない直流電源部からの負極側を接続するための負極側ブラシ接触板を示す図である。
【００２６】
図５および図７において、７は電磁石５の正極側ブラシ５１に図示しない直流電源部からの正極側を接続するための円板状の正極側ブラシ接触板であり、この正極側ブラシ接触板７は、外周側に設けられた帯状のブラシ接触部７１と、内周側に設けられた帯状のブラシ接触部７２を有している。例えば、図５中の左側の電磁石５の正極側ブラシ５１はブラシ接触部７１に接触し、図５中の右側の電磁石５の正極側ブラシ５１はブラシ接触部７２に接触する。
【００２７】
図５および図８において、８は電磁石５の負極側ブラシ５２に図示しない直流電源部からの負極側を接続するためのドーナツ状の負極側ブラシ接触板であり、この負極側ブラシ接触板８は、外周側に設けられた帯状のブラシ接触部８１と、内周側に設けられた帯状のブラシ接触部８２を有している。例えば、図５中の左側の電磁石５の負極側ブラシ５２はブラシ接触部８２に接触し、図５中の右側の電磁石５の負極側ブラシ５２はブラシ接触部８１に接触する。なお、正極側ブラシ接触板７と負極側ブラシ接触板８とは図５に示すように所定間隔をあけて一体化されている。
【００２８】
この実施形態において、ターンテーブル２が図示しない駆動機構により、図１から見て上方に持ち上げられ、光ディスク１がターンテーブル２にチャッキングされ、図示しない直流電源部が駆動し、その正極からの直流電流が、正極側ブラシ接触板７、ブラシ接触部７１、正極側ブラシ５１、電磁石５のコイル、負極側ブラシ５２、ブラシ接触部８２、負極側ブラシ接触板８、直流電源部の負極という経路で流れ、これにより、各電磁石５が励磁され、各電磁石５はコイル６から見てＮ極とＳ極が交互になるように磁化される。
【００２９】
各電磁石５が励磁されることによって各ストッパ４の可動片４１が吸引され、この結果、光ディスク１がターンテーブル２にロックされる。そして、スピンドルモータ３が回転駆動されることによって、ターンテーブル２が回転し、この回転に伴って各電磁石５も回転し、これにより、コイル６には各電磁石５からの電磁誘導により起電力が発生し、この起電力の電圧を検出することによってターンテーブル２の回転数（光ディスク１の回転数）を検出することが可能になる。
【００３０】
この構成によれば、光ディスク１をターンテーブル２に対してロックするのに永久磁石を用いずに電磁石５のみで行っているので、チャッキング動作後のロック時の音を抑えることができ、また、ターンテーブル２の回転数を検出する回転数センサを設ける必要がないので、その分、コストダウンを図ることができる。
【００３１】
図９は本発明の他の実施形態に係る光ディスクドライブ装置において光ディスクがターンテーブルにチャッキングされる前の状態を示すクランパ部の構成を示す側面図である。
【００３２】
図９において、１は光ディスク、２１は光ディスク１が載置されるターンテーブル、３１はターンテーブル２１を回転駆動するスピンドルモータである。ターンテーブル２１は、Ｆｅ（鉄）から成る円形状の鉄板２１ａと樹脂から成る円形状の樹脂板２１ｂとから構成される。２３は光ディスク１をターンテーブル２１に対してチャッキングさせる方向にターンテーブル２１を吸引すると共に光ディスク１をターンテーブル２１に対してロックする方向にターンテーブル２１を吸引するように配置された電磁石である。
【００３３】
２２は光ディスク１がターンテーブル２１にチャッキングされる際、電磁石２３の一方端面に接触して光ディスク１が傷つかないように設けられて円形状の樹脂円板である。この樹脂円板２２には、複数の電磁石２３が配置されている。２５は電磁石２３の正極側ブラシ２８に図示しない直流電源部からの正極側を接続するための円筒状の正極側ブラシ接触板であり、この正極側ブラシ接触板２５は、内周面の上部付近に沿って設けられたブラシ接触部２７を有している。２６は電磁石２３の負極側ブラシ３０に図示しない直流電源部からの負極側を接続するための円筒状の負極側ブラシ接触板であり、この負極側ブラシ接触板２６は、外周面の下部付近に沿って設けられたブラシ接触部２９を有している。
【００３４】
各電磁石２３はＮ極とＳ極が交互になるように電流が供給される。各電磁石２３は樹脂円板２２の面に所定間隔をおいて配置されており、１個のコイル２４は各電磁石２３が回転したときに電磁誘導されるように各電磁石２３と僅かな隙間を設けて配置されている。
【００３５】
この実施形態において、図示しない直流電源部が駆動し、その正極からの直流電流が、例えば、正極側ブラシ接触板２５、ブラシ接触部２７、正極側ブラシ２８、電磁石２３のコイル、負極側ブラシ３０、ブラシ接触部２９、負極側ブラシ接触板２６、直流電源部の負極という経路で流れ、これにより、各電磁石２３が励磁され、各電磁石２３はコイル２４から見てＮ極とＳ極が交互になるように磁化される。
【００３６】
各電磁石２３が励磁されると、吸引力によってターンテーブル２１が図から見て上方に持ち上げられ、光ディスク１がターンテーブル２１に対してチャッキングされ、また、各電磁石２３の吸引力によって、光ディスク１がターンテーブル２１にロックされる。そして、スピンドルモータ３１が回転駆動されることによって、ターンテーブル２１が回転し、この回転に伴って各電磁石２３も回転し、これにより、コイル２４には、各電磁石２３からの電磁誘導により起電力が発生し、この起電力の電圧を検出することによって、ターンテーブル２１の回転数（光ディスク１の回転数）を検出することが可能になる。
【００３７】
この実施形態によれば、光ディスク１をターンテーブル２１に対してロックするのに永久磁石を用いずに電磁石２３のみで行っているので、チャッキング動作後のロック時の音を抑えることができ、また、ターンテーブル２１の回転数を検出する回転数センサを設ける必要がないので、その分、コストダウンを図ることができる。また、光ディスク１のターンテーブル２１へのチャッキングも電磁石２３で行っているので、ターンテーブル２１を光ディスク１のある方向へ持ち上げる機構が不要になり、その分、更にコストダウンを図れる。
【００３８】
【発明の効果】
以上のように本発明によれば、光ディスクが載置されるターンテーブルと、このターンテーブルを回転駆動するスピンドルモータと、光ディスクを前記ターンテーブルにチャッキングしたときに光ディスクを前記ターンテーブルに対してロックする方向に可動する可動片を有する複数のストッパと、光ディスクを前記ターンテーブルにチャッキングしたときに前記複数のストッパの可動片を光ディスクが前記ターンテーブルに対してロックされる方向に吸引するように配置された複数の電磁石と、前記ターンテーブルの回転に伴って回転する前記複数の電磁石からの電磁誘導により前記ターンテーブルの回転数を検出するためのコイルとを備えたので、光ディスクをターンテーブルに対してロックするのに永久磁石を用いずに電磁石のみで行うことができ、これにより、チャッキング動作後のロック時の音を抑えることができ、また、ターンテーブルの回転数を検出する回転数センサを設ける必要がないので、その分、コストダウンを図ることができる。
【００３９】
また、本発明によれば、光ディスクが載置されるターンテーブルと、このターンテーブルを回転駆動するスピンドルモータと、光ディスクを前記ターンテーブルに対してチャッキングさせる方向に前記ターンテーブルを吸引すると共に光ディスクを前記ターンテーブルに対してロックする方向に前記ターンテーブルを吸引するように配置された複数の電磁石と、前記ターンテーブルの回転に伴って回転する前記複数の電磁石からの電磁誘導により前記ターンテーブルの回転数を検出するためのコイルとを備えたので、光ディスクをターンテーブルに対してロックするのに永久磁石を用いずに電磁石のみで行うことができ、これにより、チャッキング動作後のロック時の音を抑えることができ、また、ターンテーブルの回転数を検出する回転数センサを設ける必要がないので、その分、コストダウンを図ることができる。また、光ディスクのターンテーブルへのチャッキングも電磁石で行っているので、ターンテーブルを光ディスクのある方向へ持ち上げる機構が不要になり、その分、更にコストダウンを図れる。
【００４０】
本発明によれば、光ディスクが載置されるターンテーブルと、このターンテーブルを回転駆動するスピンドルモータと、光ディスクを前記ターンテーブルに対してロックするように作用する複数の電磁石と、前記ターンテーブルの回転に伴って回転する前記複数の電磁石からの電磁誘導により前記ターンテーブルの回転数を検出するためのコイルとを備えたので、光ディスクをターンテーブルに対してロックするのに永久磁石を用いずに電磁石のみで行うことができ、これによりチャッキング動作後のロック時の音を抑えることができ、また、ターンテーブルの回転数を検出する回転数センサを設ける必要がないので、その分、コストダウンを図ることができる。
【図面の簡単な説明】
【図１】本発明の一実施形態に係る光ディスクドライブ装置において光ディスクがターンテーブルにチャッキングされる前の状態を示すクランパ部の構成を示す側面図である。
【図２】本発明の一実施形態に係る光ディスクドライブ装置において光ディスクがターンテーブルにチャッキングされた状態を示すクランパ部の構成を示す側面図である。
【図３】図１または図２中のストッパの部分を拡大した図である。
【図４】前記実施形態のクランパ部における電磁石とストッパとコイルの配置を説明するための図である。
【図５】前記実施形態において電磁石に励磁電流を供給するための構成を説明するための図である。
【図６】前記実施形態において電磁石に設けられたブラシを説明するための図である。
【図７】前記実施形態において電磁石の正極側ブラシに図示しない直流電源部からの正極側を接続するための正極側ブラシ接触板を示す図である。
【図８】前記実施形態において電磁石の負極側ブラシに図示しない直流電源部からの負極側を接続するための負極側ブラシ接触板を示す図である。
【図９】本発明の他の実施形態に係る光ディスクドライブ装置において光ディスクがターンテーブルにチャッキングされる前の状態を示すクランパ部の構成を示す側面図である。
【符号の説明】
１    光ディスク
２，２１    ターンテーブル
３，３１    スピンドルモータ
４    ストッパ
５，２３    電磁石
６，２４    コイル
４１    可動片
【図１】
2005050389.tif 000003
【図２】
2005050389.tif 000004
【図３】
2005050389.tif 000005
【図４】
2005050389.tif 000006
【図５】
2005050389.tif 000007
【図６】
2005050389.tif 000008
【図７】
2005050389.tif 000009
【図８】
2005050389.tif 000010
【図９】
2005050389.tif 000011